(57)【要約】      （修正有）【課題】駐車場内における駐車位置を状況に応じて適切に案内することが可能な駐車位置決定装置を提供する。【解決手段】ナビゲーション装置１のデータ記憶ユニット３１は、駐車場内の推奨される駐車位置に関する推奨駐車位置テーブル３３を記憶する。システムコントローラ２０は、センサ群の出力又は入力装置への入力等に基づき、現在の状況である対象状況を特定する。そして、システムコントローラは、推奨駐車位置テーブルに基づき、対象状況に対応する推奨駐車位置を決定し、決定した推奨駐車位置を明示したレイアウト画像をディスプレイ４４に表示させる。【選択図】図１
2018077114.tif 000002
【特許請求の範囲】
【請求項１】
状況ごとに推奨される駐車場内の駐車位置に関する情報である駐車位置情報を記憶する記憶部と、
現在の状況を取得する状況取得部と、
前記駐車位置情報に基づき、前記現在の状況に対応する駐車位置を決定する駐車位置決定部と、
前記駐車位置決定部が決定した駐車位置の情報を出力する出力部と、
を有する駐車位置決定装置。
【請求項２】
前記状況取得部は、前記現在の状況として、天候に関する情報を取得する請求項１に記載の駐車位置決定装置。
【請求項３】
前記駐車位置決定部は、前記駐車位置情報に基づき、天候が所定温度以上かつ晴れの場合には、日陰となる駐車位置を決定し、天候が雨又は雪である場合には、屋根を有する駐車位置を決定する請求項２に記載の駐車位置決定装置。
【請求項４】
前記状況取得部は、センサの出力に基づき、前記現在の状況を特定する請求項１〜３のいずれか一項に記載の駐車位置決定装置。
【請求項５】
前記状況取得部は、入力部への入力、又は前記記憶部に記憶された設定情報に基づき、前記現在の状況を特定する請求項１〜３のいずれか一項に記載の駐車位置決定装置。
【請求項６】
前記駐車位置決定部は、前記入力又は前記設定情報に基づき、前記駐車場に対応する施設へのアクセスの良さを運転手が所望している状況であると判定した場合、前記施設の入口から所定距離以内となる駐車位置を決定する請求項５に記載の駐車位置決定装置。
【請求項７】
前記駐車位置決定部は、前記入力又は前記設定情報に基づき、駐車が容易な駐車位置を運転手が所望している状況であると判定した場合、少なくとも所定距離以内に障害物が存在しない駐車位置を決定する請求項５に記載の駐車位置決定装置。
【請求項８】
前記出力部は、前記駐車位置決定部が決定した駐車位置へ誘導する情報を出力する請求項１〜７のいずれか一項に記載の駐車位置決定装置。
【請求項９】
状況ごとに推奨される駐車場内の駐車位置に関する情報である駐車位置情報を記憶する記憶部を有する駐車位置決定装置が実行する制御方法であって、
現在の状況を取得する状況取得工程と、
前記駐車位置情報に基づき、前記現在の状況に対応する駐車位置を決定する駐車位置決定工程と、
前記駐車位置決定工程で決定した駐車位置の情報を出力する出力工程と、
を有する制御方法。
【請求項１０】
状況ごとに推奨される駐車場内の駐車位置に関する情報である駐車位置情報を記憶する記憶部を参照するコンピュータが実行するプログラムであって、
現在の状況を取得する状況取得部と、
前記駐車位置情報に基づき、前記対象とする状況に対応する駐車位置を決定する駐車位置決定部と、
前記駐車位置決定部が決定した駐車位置の情報を出力する出力部
として前記コンピュータを機能させるプログラム。
【請求項１１】
請求項１０に記載のプログラムを記憶した記憶媒体。
【発明の詳細な説明】
【技術分野】
【０００１】
本発明は、駐車場内における駐車位置の案内技術に関する。
【背景技術】
【０００２】
従来から、駐車場へ車両を誘導する技術が知られている。例えば、特許文献１には、目的地の情報と、駐車場の空きスペースの位置を示す情報とに基づいて、駐車場の空きスペースの中から、選択された目的地により近い空きスペースを優先的に車両の駐車スペースとして表示するナビゲーション装置が開示されている。その他、本発明に関連する技術が特許文献２に開示されている。
【先行技術文献】
【特許文献】
【０００３】
【特許文献１】特開２０１６−０４２２２１号公報
【特許文献２】特開２００４−３２５１８１号公報
【発明の概要】
【発明が解決しようとする課題】
【０００４】
大型施設の駐車場などの多くの駐車スペースが存在する駐車場では、ユーザにとって好適な駐車位置を瞬時に判断するのが困難な場合がある。また、このような駐車場では、後続の車両が次々に駐車場内に入るため、駐車場のレイアウトを確認して駐車位置を決める時間的余裕がない場合が多い。特許文献１及び２には、これらの問題点については、何ら開示されていない。
【０００５】
本発明は、上記のような課題を解決するためになされたものであり、駐車場内における駐車位置を状況に応じて適切に案内することが可能な駐車位置決定装置を提供することを主な目的とする。
【課題を解決するための手段】
【０００６】
請求項１に記載の発明は、駐車位置決定装置であって、状況ごとに推奨される駐車場内の駐車位置に関する情報である駐車位置情報を記憶する記憶部と、現在の状況を取得する状況取得部と、前記駐車位置情報に基づき、前記現在の状況に対応する駐車位置を決定する駐車位置決定部と、前記駐車位置決定部が決定した駐車位置の情報を出力する出力部と、を有する。
【０００７】
請求項９に記載の発明は、状況ごとに推奨される駐車場内の駐車位置に関する情報である駐車位置情報を記憶する記憶部を有する駐車位置決定装置が実行する制御方法であって、現在の状況を取得する状況取得工程と、前記駐車位置情報に基づき、前記現在の状況に対応する駐車位置を決定する駐車位置決定工程と、前記駐車位置決定工程で決定した駐車位置の情報を出力する出力工程と、を有する。
【０００８】
請求項１０に記載の発明は、状況ごとに推奨される駐車場内の駐車位置に関する情報である駐車位置情報を記憶する記憶部を参照するコンピュータが実行するプログラムであって、現在の状況を取得する状況取得部と、前記駐車位置情報に基づき、前記現在の状況に対応する駐車位置を決定する駐車位置決定部と、前記駐車位置決定部が決定した駐車位置の情報を出力する出力部として前記コンピュータを機能させる。
【図面の簡単な説明】
【０００９】
【図１】実施例に係るナビゲーション装置の概略構成である。
【図２】駐車場レイアウト情報に基づく駐車場Ａのレイアウトを示す。
【図３】推奨駐車位置テーブルのデータ構造及び駐車場Ａの概要を示した図である。
【図４】ナビゲーション装置が実行する推奨駐車位置の決定に関するフローチャートである。
【図５】推奨駐車位置を明示した駐車場のレイアウト画像の表示例である。
【図６】変形例に係る駐車位置案内システムの概略構成を示す。
【発明を実施するための形態】
【００１０】
本発明の好適な実施形態によれば、駐車位置決定装置は、状況ごとに推奨される駐車場内の駐車位置に関する情報である駐車位置情報を記憶する記憶部と、現在の状況を取得する状況取得部と、前記駐車位置情報に基づき、前記現在の状況に対応する駐車位置を決定する駐車位置決定部と、前記駐車位置決定部が決定した駐車位置の情報を出力する出力部と、を有する。
【００１１】
上記駐車位置決定装置は、記憶部と、状況取得部と、駐車位置決定部と、出力部とを有する。記憶部は、駐車位置情報を記憶する。ここで、駐車位置情報は、駐車場内の推奨される駐車位置に関する情報であり、状況ごとに対応している。状況取得部は、現在の状況を取得する。ここで、「現在の状況」は、駐車位置を決定する際の基準となる状況であって、例えば天候状況、運転手の心理的状況などの駐車位置の決定に影響を与え得る任意の事象に関する現在の状況を指す。駐車位置決定部は、駐車位置情報に基づき、現在の状況に対応する駐車位置を決定する。出力部は、駐車位置決定部が決定した駐車位置の情報を出力する。この態様では、駐車位置決定装置は、状況ごとに推奨される駐車場内の駐車位置に関する駐車位置情報を参照することで、現在の状況に適した駐車位置を好適に出力することができる。
【００１２】
上記駐車位置決定装置の他の一態様では、前記状況取得部は、前記現在の状況として、天候に関する情報を取得する。この態様によれば、駐車位置決定装置は、現在の天候条件に適した駐車場内の駐車位置を好適に出力することができる。
【００１３】
上記駐車位置決定装置の他の一態様では、前記駐車位置決定部は、前記駐車位置情報に基づき、天候が所定温度以上かつ晴れの場合には、日陰となる駐車位置を決定し、天候が雨又は雪である場合には、屋根を有する駐車位置を決定する。この態様により、駐車位置決定装置は、炎天下の場合には車両が直射日光に当たらない駐車位置を出力し、雨又は雪の場合には車両が雨又は雪により汚れにくい駐車位置を出力することができる。
【００１４】
上記駐車位置決定装置の他の一態様では、前記状況取得部は、センサの出力に基づき、前記現在の状況を特定する。この態様では、駐車位置決定装置は、車両等に備わる１又は複数のセンサの出力に基づき、天候状況などの駐車位置の決定に影響を与える状況を的確に判定し、判定した状況に好適な駐車位置を好適に出力することができる。
【００１５】
上記駐車位置決定装置の他の一態様では、前記状況取得部は、入力部への入力、又は前記記憶部に記憶された設定情報に基づき、前記現在の状況を特定する。この態様では、駐車位置決定装置は、ユーザの心理的状況等についても的確に把握し、当該状況に適した駐車位置を好適に出力することができる。
【００１６】
上記駐車位置決定装置の他の一態様では、前記駐車位置決定部は、前記入力又は前記設定情報に基づき、前記駐車場に対応する施設のアクセスの良さを運転手が所望している状況であると判定した場合、前記施設の入口から所定距離以内となる駐車位置を決定する。この態様により、駐車位置決定装置は、駐車場に対応する施設のアクセスの良さを所望している状況において、当該状況に適した駐車位置を好適に出力することができる。
【００１７】
上記駐車位置決定装置の他の一態様では、前記駐車位置決定部は、前記入力又は前記設定情報に基づき、駐車が容易な駐車位置を運転手が所望している状況であると判定した場合、少なくとも所定距離以内に障害物が存在しない駐車位置を決定する。この態様により、駐車位置決定装置は、運転手が駐車容易な駐車位置を所望している状況において、当該状況に適した駐車位置を好適に出力することができる。
【００１８】
上記駐車位置決定装置の他の一態様では、前記出力部は、前記駐車位置決定部が決定した駐車位置へ誘導する情報を出力する。この態様により、駐車位置決定装置は、現在の状況に適した駐車位置へ車両を誘導することができる。
【００１９】
本発明に係る他の好適な実施形態では、状況ごとに推奨される駐車場内の駐車位置に関する情報である駐車位置情報を記憶する記憶部を有する駐車位置決定装置が実行する制御方法であって、現在の状況を取得する状況取得工程と、前記駐車位置情報に基づき、前記現在の状況に対応する駐車位置を決定する駐車位置決定工程と、前記駐車位置決定工程で決定した駐車位置の情報を出力する出力工程と、を有する。駐車位置決定装置は、この制御方法を実行することで、状況ごとに推奨される駐車場内の駐車位置に関する駐車位置情報を参照し、現在の状況に適した駐車位置を好適に出力することができる。
【００２０】
本発明に係る他の好適な実施形態では、状況ごとに推奨される駐車場内の駐車位置に関する情報である駐車位置情報を記憶する記憶部を参照するコンピュータが実行するプログラムであって、現在の状況を取得する状況取得部と、前記駐車位置情報に基づき、前記対象とする状況に対応する駐車位置を決定する駐車位置決定部と、前記駐車位置決定部が決定した駐車位置の情報を出力する出力部として前記コンピュータを機能させる。コンピュータは、このプログラムを実行することで、状況ごとに推奨される駐車場内の駐車位置に関する駐車位置情報を参照し、現在の状況に適した駐車位置を好適に出力することができる。好適には、このプログラムは、記憶媒体に記憶される。
【実施例】
【００２１】
以下、図面を参照して本発明の好適な実施例について説明する。
【００２２】
［ナビゲーション装置の構成］
図１は、本発明における算出装置が適用されたナビゲーション装置１の概略構成を示す。ナビゲーション装置１は、現在の天候や運転手の状況等を勘案して目的の駐車場内において推奨される駐車位置（「推奨駐車位置」とも呼ぶ。）を提示する。図１に示すように、ナビゲーション装置１は、センサ群１０、ＧＰＳ受信機１８、システムコントローラ２０、データ記憶ユニット３１、通信装置３８、表示ユニット４０、音声出力ユニット５０及び入力装置６０を備える。
【００２３】
センサ群１０は、自立測位装置１１と、カメラ１２と、温度センサ１３と、雨滴センサ１４とを含む。自立測位装置１１は、車両の加速度を検出する加速度センサ、車両の方向変換時における車両の角速度を検出する振動ジャイロなどの角速度センサ、及び車両の車輪の回転に伴って発生されているパルス信号からなる車速パルスを計測する距離センサなどを含む。カメラ１２は、車外風景を撮影するカメラであり、例えば車両の前方方向に向けられている。温度センサ１３は、車両周辺の温度を検出する。雨滴センサ１４は、例えば発光ダイオードから放射する赤外線が雨滴を通過する際に散乱することで受光器の受光量が変化する特性に基づき雨量を検出する。
【００２４】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００２５】
システムコントローラ２０は、インタフェース２１、ＣＰＵ２２、ＲＯＭ２３及びＲＡＭ２４を含んでおり、ナビゲーション装置１全体の制御を行う。例えば、システムコントローラ２０は、ユーザが指定した目的地までのルート探索及び探索したルートを対象としたルート案内を実行する。また、本実施例では、システムコントローラ２０は、センサ群１０の出力等に基づき、推奨駐車位置を決定する際に基準となる現在の運転に関する状況（「対象状況」とも呼ぶ。）を特定し、特定した対象状況に応じた推奨駐車位置を決定して当該推奨駐車位置への案内を行う。対象状況は、天候に関する天候状況の他、車両の状況や運転手の心理的状況なども含む。システムコントローラ２０は、本発明における「状況取得部」、「駐車位置決定部」、「出力部」及び本発明におけるプログラムを実行するコンピュータの一例である。
【００２６】
インタフェース２１は、自立測位装置１１、外界センサ１２、温度センサ１３、雨滴センサなどのセンサ群１０並びにＧＰＳ受信機１８とのインタフェース動作を行う。そして、インタフェース２１は、これらの出力データをシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００２７】
システムコントローラ２０、データ記憶ユニット３１、表示ユニット４０、音声出力ユニット５０及び入力装置６０は、バスライン３０を介して相互に接続されている。
【００２８】
データ記憶ユニット３１は、例えば、ＨＤＤなどの記憶媒体などにより構成され、地図データなどのナビゲーション処理に用いられる各種データを記憶する。地図データは、道路に相当するリンク及び道路の接続部分（交差点）に相当するノードにより表された道路データと、施設に関する施設情報とを含む。施設情報として地図データに登録される施設には、駐車場及び駐車場が付帯された施設を含んでいる。そして、駐車場又は駐車場が付帯されている施設に対応する施設情報には、駐車場を識別するための識別情報が含まれている。
【００２９】
また、本実施例では、データ記憶ユニット３１は、地図データの一部として、駐車場レイアウト情報３２と、推奨駐車位置テーブル３３とを記憶する。駐車場レイアウト情報３２は、各駐車場のレイアウトを特定するための情報であって、例えば、駐車場ごとに、各駐車スペースの位置情報等が含まれている。推奨駐車位置テーブル３３は、各駐車場に対し、状況ごとに好適な駐車位置の情報が記録されたテーブルである。なお、駐車場レイアウト情報３２及び推奨駐車位置テーブル３３に登録される駐車場は、上述した施設情報に登録されているコインパーキングなどの独立した駐車場の他、施設に付帯した駐車場として施設情報に登録されている駐車場も含まれている。推奨駐車位置テーブル３３は、本発明における「駐車位置情報」の一例である。
【００３０】
通信装置３８は、ＶＩＣＳ（登録商標、Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタから配信される渋滞情報や、図示しない渋滞情報を配信するサーバ装置から配信される渋滞情報などを受信する。なお、通信装置３８は、システムコントローラ２０の制御に基づき、地図データ（駐車場レイアウト情報３２及び推奨駐車位置テーブル３３を含む）としてデータ記憶ユニット３１に記憶させる情報を、図示しないサーバ装置から受信してもよい。
【００３１】
表示ユニット４０は、システムコントローラ２０の制御の下、各種表示データをディスプレイなどの表示装置に表示する。具体的には、システムコントローラ２０は、データ記憶ユニット３１から地図データを読み出す。表示ユニット４０は、システムコントローラ２０によってデータ記憶ユニット３１から読み出された地図データに基づく画像を、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。
【００３２】
音声出力ユニット５０は、システムコントローラ２０の制御の下、ＲＡＭ２４等からバスライン３０を介して送られる音声デジタルデータのＤ／Ａ変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００３３】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００３４】
［データ構造］
次に、駐車場レイアウト情報３２及び推奨駐車位置テーブル３３のデータ構造について説明する。
【００３５】
図２は、駐車場レイアウト情報３２に記録された駐車場Ａの駐車場レイアウト情報３２に基づくレイアウト図である。駐車場Ａは、入口及び出口が設けられた矩形の駐車エリア内に、識別番号「ＰＡ１」〜「ＰＡ４０」がそれぞれ割り当てられた駐車スペースが存在する。
【００３６】
そして、駐車場レイアウト情報３２には、図２に示すような駐車場Ａのレイアウトを特定できるように、駐車場Ａの駐車エリア全体の境界に関する位置情報、駐車場Ａの入口及び出口の位置情報、駐車場Ａを有する施設（店舗）への入口（エレベータやエスカレータの搭乗位置等も含む）の位置情報、識別番号ＰＡ１〜ＰＡ４０が割り当てられた駐車スペースの位置情報等が記録されている。このように、駐車場レイアウト情報３２には、駐車場ごとに、駐車場内のレイアウトを把握するための情報が記録されている。なお、駐車場レイアウト情報３２に登録される各駐車スペースの位置情報は、対象の駐車スペースの四隅のそれぞれの位置情報であってもよく、対象の駐車スペースの中心位置を示す位置情報であってもよい。
【００３７】
図３（Ａ）は、推奨駐車位置テーブル３３のデータ構造を概略的に示した図である。また、図３（Ｂ）は、図２に示す駐車場Ａの特徴に関する事項を明記した図である。図３（Ａ）に示す推奨駐車位置テーブル３３は、「駐車場」、「状況」、及び「推奨駐車位置」の各項目を有する。「駐車場」の項目には、各駐車場の識別情報が登録される。「状況」の項目には、想定される各状況に対応した記号（図３（Ａ）ではＸ〜Ｖ）が登録される。ここで、上述の記号は、想定される状況ごとに割り当てられ、図３（Ａ）の例では、「Ｘ」は、炎天下となる天候状況を示し、「Ｙ」は、雨又は雪となる天候状況を示し、「Ｚ」は、運転手が停め易さを重視している状況を示し、「Ｖ」は、運転手が対象の駐車場が属する施設へのアクセスの良さを重視している状況を示す。「推奨駐車位置」の項目には、推奨駐車位置に対応する駐車スペースの識別番号が登録される。
【００３８】
図３（Ａ）に示すように、推奨駐車位置テーブル３３には、各記号が割り当てられた状況ごとに、当該状況に好適な駐車スペースの識別番号が関連付けられている。例えば、炎天下となる天候状況を示す状況Ｘの場合、屋根が存在する駐車スペースに対応する識別番号（駐車場ＡではＰＡ１〜ＰＡ５）及び屋根が存在する駐車スペース以外に日中において主に日陰となる駐車スペースに対応する識別番号（駐車場ＡではＰＡ７〜ＰＡ１４）が「推奨駐車位置」の項目に登録されている。同様に、雨又は雪となる天候状況を示す状況Ｙの場合、屋根が存在する駐車スペースに対応する識別番号（駐車場ＡではＰＡ１〜ＰＡ５）が「推奨駐車位置」の項目に登録されている。また、運転手が停め易さを重視している状況を示す状況Ｚの場合、隣接する駐車スペースが空車となっている場合が統計的に多い駐車スペース、又は／及び、駐車する際の障害となる障害物が所定距離以内に存在しない駐車スペースに対応する識別番号（駐車場ＡではＰＡ１６〜ＰＡ２０、ＰＡ２３〜ＰＡ２７）が「推奨駐車位置」の項目に登録される。上述の所定距離は、例えば、仮に障害物が存在する場合に当該障害物が駐車の際に障害となり得る駐車位置からの最大距離に設定される。また、運転手が対象の駐車場が属する施設へのアクセスの良さを重視している状況を示す状況Ｖの場合、施設の入口から所定距離以内となる駐車スペースに対応する識別番号（駐車場ＡではＰＡ２２〜ＰＡ２５、ＰＡ２９〜ＰＡ３５）が「推奨駐車位置」の項目に登録される。
【００３９】
このように、推奨駐車位置テーブル３３には、駐車場ごとに、想定される各状況に適した駐車位置に関する情報が推奨駐車位置として予め登録されている。なお、駐車場又は駐車場が付帯されている施設に対応する地図データの施設情報には、例えば、駐車場レイアウト情報３２及び推奨駐車位置テーブル３３において駐車場を識別するための識別情報が含まれている。これにより、システムコントローラ２０は、目的地となる施設が指定された場合に、当該施設の施設情報を参照することで、駐車場レイアウト情報３２及び推奨駐車位置テーブル３３に登録された駐車場から対象とする駐車場を特定する。
【００４０】
［対象状況の特定］
次に、推奨駐車位置テーブル３３を参照して推奨駐車位置を決定するのに必要な対象状況の特定方法について説明する。概略的には、システムコントローラ２０は、入力装置６０への入力情報、データ記憶ユニット３６に記憶された設定情報、通信装置３８による受信情報又はセンサ群１０の出力情報等に基づき、駐車に関する対象状況を特定する。これらの具体例について、図３（Ａ）の例を参照して説明する。
【００４１】
例えば、システムコントローラ２０は、温度センサ１３が出力した温度が所定温度（例えば３０度以上）であり、カメラ１２が生成した画像の平均的な輝度が所定値以上又は図示しない照度センサが出力する照度が所定度以上である場合、対象状況が炎天下となる天候状況であると判断する。よって、この場合、システムコントローラ２０は、推奨駐車位置テーブル３３を参照する際に、状況Ｘに対応するレコードを参照して推奨駐車位置を決定する。なお、システムコントローラ２０は、温度センサ１３等の出力を用いる代わりに、ＧＰＳ受信機１８が出力する現在位置情報に基づき、図示しないサーバ装置から現在位置周辺の天候情報を取得することで、対象状況が炎天下となる天候状況であるか否か判定してもよい。この場合、システムコントローラ２０は、サーバ装置から受信した天候情報に基づき、最高気温が所定温度以上でかつ晴れであると判断した場合、対象状況が炎天下となる天候状況であると判断する。
【００４２】
同様に、システムコントローラ２０は、雨滴センサ１４が出力する雨量が所定量以上である場合、対象状況が雨又は雪となる天候状況であると判断する。よって、この場合、推奨駐車位置テーブル３３を参照する際に、状況Ｙに対応するレコードを参照して推奨駐車位置を決定する。なお、システムコントローラ２０は、雨滴センサ１４の出力を用いる代わりに、ＧＰＳ受信機１８が出力する現在位置情報に基づき、図示しないサーバ装置から現在位置周辺の天候情報を取得することで、対象状況が雨又は雪となる天候状況であるか否か判定してもよい。この場合、システムコントローラ２０は、サーバ装置から受信した天候情報に基づき、現在位置周辺の天候が雨又は雪であると判断した場合、対象状況が雨又は雪となる天候状況であると判断する。また、システムコントローラ２０は、カメラ１２が生成した画像に基づき、車外風景中における雨又は雪の存在を公知の画像認識技術により認識した場合に、対象状況が雨又は雪となる天候状況であると判断してもよい。
【００４３】
さらに別の例では、システムコントローラ２０は、駐車場又は駐車場が付帯された施設が目的地に設定された場合に、入力装置６０による対象状況を指定する入力を受け付けることで、対象状況を特定する。この場合、例えば、システムコントローラ２０は、ディスプレイ４４上に、「停め易さを重視」、「施設への入口への近さを重視」、「出口への近さを重視」などの複数の項目をタッチパネルにより選択可能に表示する。そして、システムコントローラ２０は、例えば「停め易さを重視」の項目が選択された場合、対象状況が停め易さを運転手が重視している状況であると判断する。また、システムコントローラ２０は、「施設への入口への近さを重視」の項目が選択された場合、対象状況が施設への入口への近さを運転手が重視している状況であると判断する。
【００４４】
なお、システムコントローラ２０は、対象状況を指定する入力を目的地の設定時に受け付ける代わりに、ユーザの任意のタイミングにより対象状況に関する入力を受け付けてもよい。この場合、システムコントローラ２０は、受け付けた入力情報を、対象状況に関する設定情報としてデータ記憶ユニット３１に記憶させる。そして、システムコントローラ２０は、対象状況を特定すべきと判断した時に、データ記憶ユニット３１に記憶した設定情報を参照することで、対象状況を特定する。
【００４５】
［処理フロー］
図４は、システムコントローラ２０が実行する推奨駐車位置の決定に関するフローチャートである。システムコントローラ２０は、図４に示すフローチャートの処理を、繰り返し実行する。
【００４６】
まず、システムコントローラ２０は、駐車場又は駐車場を有する施設が目的地に設定されたか否か判定する（ステップＳ１０１）。そして、システムコントローラ２０は、駐車場又は駐車場を有する施設が目的地に設定されたと判断した場合（ステップＳ１０１；Ｙｅｓ）、ステップＳ１０２へ処理を進める。一方、システムコントローラ２０は、駐車場又は駐車場を有する施設のいずれも目的地に設定されていない場合（ステップＳ１０１；Ｎｏ）、フローチャートの処理を終了する。
【００４７】
次に、ステップＳ１０２では、システムコントローラ２０は、入力装置６０へのユーザ入力又はセンサ群１０の出力等に基づき、対象状況を特定する（ステップＳ１０２）。なお、システムコントローラ２０は、入力装置６０へのユーザ入力又はセンサ群１０の出力を用いる代わりに、通信装置３８から受信した天候情報、データ記憶ユニット３１に記憶された対象状況に関する設定情報を参照することで、対象状況を特定してもよい。
【００４８】
次に、システムコントローラ２０は、ステップＳ１０２で特定した対象状況に応じた推奨駐車位置を決定する（ステップＳ１０３）。具体的には、まず、システムコントローラ２０は、ステップＳ１０１で目的地に設定された駐車場又は目的地に設定された施設に付帯する駐車場の識別情報を、地図データの施設情報等に基づき特定する。そして、システムコントローラ２０は、特定した駐車場の識別情報に基づき、推奨駐車位置テーブル３３を参照して推奨駐車位置を決定する。また、ステップＳ１０２及びステップＳ１０３の前又は後において、システムコントローラ２０は、目的地までのルートを探索し、探索したルートを対象としたルート案内を開始する。
【００４９】
そして、システムコントローラ２０は、ステップＳ１０１で設定された目的地に到着したか否か判定する（ステップＳ１０４）。そして、システムコントローラ２０は、目的地に到着したと判断した場合（ステップＳ１０４；Ｙｅｓ）、駐車場レイアウト情報３２を参照し、推奨駐車位置を明示した駐車場のレイアウト画像をディスプレイ４４に表示させる（ステップＳ１０５）。ステップＳ１０５で表示する駐車場のレイアウト画像については、図５を参照して後述する。一方、システムコントローラ２０は、ステップＳ１０１で設定された目的地に到着していない場合（ステップＳ１０４；Ｎｏ）、目的地までのルート案内等を行うと共に、ＧＰＳ受信機１８が出力する現在位置情報等に基づき、目的地への到着の有無を判定する。
【００５０】
図５は、図４のステップＳ１０５でシステムコントローラ２０がディスプレイ４４に表示させる駐車場のレイアウト画像の一例を示す。
【００５１】
図５では、システムコントローラ２０は、ＧＰＳ受信機１８等の出力に基づき、図２に示す駐車場Ａに車両が到着したと判断し、駐車場レイアウト情報３２を参照することで、駐車場Ａの全体図を示したレイアウト画像を表示させている。
【００５２】
また、システムコントローラ２０は、センサ群１０の出力等に基づき、対象状況が雨又は雪となる天候状況（即ち状況Ｙ）であると判断し、図３（Ａ）に示す推奨駐車位置テーブル３３を参照することで、識別番号ＰＡ１〜ＰＡ６の駐車スペースが推定駐車位置であると判断する。よって、システムコントローラ２０は、駐車場Ａのレイアウト画像において、識別番号ＰＡ１〜ＰＡ５の駐車スペースを強調表示すると共に、強調表示した駐車スペースが推奨駐車位置である理由の説明文を表示している。なお、この場合に出力される推奨駐車位置である理由の説明文は、例えば、状況ごとに予め対応付けられてデータ記憶ユニット３１に記憶された定型文であってもよく、推奨駐車位置テーブル３３のレコードごとに登録された説明文（図３（Ａ）では不図示）であってもよい。図６に示すレイアウト画像によれば、システムコントローラ２０は、駐車場Ａに到着した場合に、駐車場Ａにおいて現在の状況に適した駐車位置を運転手に容易に把握させ、当該駐車位置に好適に車両を誘導することができる。
【００５３】
なお、システムコントローラ２０は、図５の表示例に代えて、図５のレイアウト画像内に車両の位置を示す現在位置マークを表示させ、現在位置マークから推定駐車位置までのルートをなぞったルート線をさらに表示させてもよい。これにより、システムコントローラ２０は、推奨駐車位置に車両をより確実に誘導することができる。
【００５４】
以上説明したように、本実施例に係るナビゲーション装置１のデータ記憶ユニット３１は、駐車場内の推奨される駐車位置に関する推奨駐車位置テーブル３３を記憶する。システムコントローラ２０は、センサ群１０の出力又は入力装置６０への入力等に基づき、現在の状況である対象状況を特定する。そして、システムコントローラ２０は、推奨駐車位置テーブル３３に基づき、対象状況に対応する推奨駐車位置を決定し、決定した推奨駐車位置を明示したレイアウト画像をディスプレイ４４に表示させる。これにより、ナビゲーション装置１は、現在の状況に適した駐車位置へ好適に車両を誘導することができる。
【００５５】
［変形例］
以下、実施例の各変形例について説明する。なお、これらの各変形例は、組み合わせて上述の実施例に適用してもよい。
【００５６】
（変形例１）
実施例においてナビゲーション装置１が実行する処理の一部を、ナビゲーション装置１とネットワークを介して通信を行うサーバ装置が実行してもよい。
【００５７】
図６は、変形例に係る駐車位置案内システムの構成を示す。図６の例では、駐車位置案内システムは、ナビゲーション装置１と、駐車場レイアウト情報３２及び推奨駐車位置テーブル３３を有するサーバ装置３とを有する。
【００５８】
図６の構成例では、例えば、実施例と同様に、ナビゲーション装置１は、図４のステップＳ１０１において、駐車場又は駐車場を有する施設が目的地に設定されたと判断した場合に、ステップＳ１０２において対象状況を特定する。その後、ステップＳ１０３において、ナビゲーション装置１は、特定した対象状況及びユーザが指定した目的地に関する情報を含む要求信号をサーバ装置３へ送信する。この場合、サーバ装置３は、上述の要求信号を受信し、当該要求信号に基づき推奨駐車位置テーブル３３を参照することで、対象の駐車場における推奨駐車位置を決定する。そして、サーバ装置３は、駐車場レイアウト情報３２を参照し、図５に示すような推奨駐車位置を明示した駐車場のレイアウト画像を表示するための情報を、ナビゲーション装置１へ送信する。
【００５９】
なお、本変形例では、サーバ装置３のＣＰＵ等は、本発明における「状況取得部」、「駐車位置決定部」、「出力部」及び本発明におけるプログラムを実行するコンピュータの一例である。
【００６０】
（変形例２）
ナビゲーション装置１は、図４のステップＳ１０５において、図５に示すような推奨駐車位置を明示した駐車場のレイアウト画像を表示する代わりに、対象の駐車場の入口から推奨駐車位置へ到達するために必要な案内音声を音声出力ユニット５０により出力してもよい。この場合、ナビゲーション装置１は、図５に示す駐車場のレイアウト画像を表示すると共に、上述の音声案内を音声出力ユニット５０により出力してもよい。
【００６１】
（変形例３）
複数のフロアを備える駐車場の場合には、推奨駐車位置テーブル３３には、想定される状況ごとに駐車に好適なフロアの情報が推奨駐車位置として予め登録されていてもよい。この場合、システムコントローラ２０は、対象状況の特定後、推奨駐車位置テーブル３３を参照し、対象の駐車場の所定のフロアを推奨駐車位置として決定した場合、当該フロアへ誘導するための表示又は／及び音声出力を行う。
【００６２】
なお、本変形例において、推奨駐車位置テーブル３３には、想定される状況ごとに駐車に適したフロアの情報及び当該フロア内における適した駐車スペースの情報が推奨駐車位置として予め登録されていてもよい。この場合、システムコントローラ２０は、対象のフロアへの誘導後に、当該フロア内における推奨駐車位置へ誘導するための表示又は／及び音声出力を行う。
【符号の説明】
【００６３】
１  ナビゲーション装置
３  サーバ装置
１０  センサ群
１２  ＧＰＳ受信機
２０  システムコントローラ
２２  ＣＰＵ
３１  データ記憶ユニット
３８  通信装置
４０  表示ユニット
４４  ディスプレイ
５０  音声出力ユニット
６０  入力装置
【図１】
2018077114.tif 000003
【図２】
2018077114.tif 000004
【図３】
2018077114.tif 000005
【図４】
2018077114.tif 000006
【図５】
2018077114.tif 000007
【図６】
2018077114.tif 000008